(57)【要約】【課題】プロセス空気から望ましくない物質を除去するための燃料タンク不活性化プレフィルタアセンブリ、燃料タンク不活性化プレフィルタ装置、及び燃料不活性化タンクシステムで使用される流体、特にプロセス流体を処理するための方法を提供すること。【解決手段】本発明による燃料タンク不活性化プレフィルタアセンブリにおいては、第１〜第４の中空円筒状流体処理フィルタが同軸に配置され、それにより、上端及び下端を有するフィルタユニットが形成され、第１のエンドキャップがフィルタユニットの上端に結合され、第２のエンドキャップがフィルタユニットの下端に結合され、フィルタアセンブリが第１の流体流路及び第２の流体流路を画定する。そして、第１の中空円筒状流体処理フィルタが第１と第２の流体流路を横切って配置され、第２〜第４の中空円筒状流体処理フィルタが第２の流体流路を横切って配置される。【選択図】図１
2017113745.tif 000002
【特許請求の範囲】
【請求項１】
（ａ）第１の面及び第２の面を持ち、前記第１の面から前記第２の面までを貫通する中心開口を含む、第１のエンドキャップと、
（ｂ）第２のエンドキャップと、
（ｃ）微粒子除去及びコアレッサ構成を備える第１の中空円筒状流体処理フィルタであって、前記微粒子除去及びコアレッサ構成が、約０．５ミクロン〜約５０ミクロンの範囲内の孔径を有するプリーツ状繊維質多孔体ろ材と、疎油性及び／又は疎水性繊維状ろ材とを含む、第１の中空円筒状流体処理フィルタと、
（ｄ）オゾン減損構成を備える第２の中空円筒状流体処理フィルタであって、前記オゾン減損構成がオゾン減損物質を備える、第２の中空円筒状流体処理フィルタと、
（ｅ）有機蒸気減損構成を備える第３の中空円筒状流体処理フィルタであって、前記有機蒸気減損構成が活性炭、ゼオライト、及び／又は、活性アルミナを備える、第３の中空円筒状流体処理フィルタと、
（ｆ）プリーツ状多孔体ろ材を備える微粒子除去構成を備える第４の中空円筒状流体処理フィルタであって、該フィルタがＵＬＰＡフィルタ又はＨＥＰＡフィルタ定格を有する、第４の中空円筒状流体処理フィルタと
を備える燃料タンク不活性化プレフィルタアセンブリであって、
前記第１の中空円筒状流体処理フィルタ、前記第２の中空円筒状流体処理フィルタ、前記第３の中空円筒状流体処理フィルタ、及び、前記第４の中空円筒状流体処理フィルタが同軸に配置され、それにより、上端及び下端を有するフィルタユニットが形成され、
前記第１のエンドキャップが前記フィルタユニットの前記上端に結合され、前記第２のエンドキャップが前記フィルタユニットの前記下端に結合され、
前記プレフィルタアセンブリが、第１の流体流路及び第２の流体流路を画定し、（ｉ）前記第１の中空円筒状流体処理フィルタが前記第１の流体流路及び前記第２の流体流路を横切って配置され、（ｉｉ）前記第２の中空円筒状流体処理フィルタ、前記第３の中空円筒状流体処理フィルタ、及び、前記第４の中空円筒状流体処理フィルタが前記第２の流体流路を横切って配置される、燃料タンク不活性化プレフィルタアセンブリ。
【請求項２】
前記プリーツ状多孔体ろ材を備える前記第４の中空円筒状流体処理フィルタがガラス繊維ろ材及び／又は高分子膜を備える、請求項１に記載の燃料タンク不活性化プレフィルタアセンブリ。
【請求項３】
前記有機蒸気減損構成を備える前記第３の中空円筒状流体処理フィルタが粒子、繊維層、及び／又は、モノリスを備える、請求項１又は２に記載の燃料タンク不活性化プレフィルタアセンブリ。
【請求項４】
同軸に配置される前記第１の中空円筒状流体処理フィルタと前記第２の中空円筒状流体処理フィルタとの間に同軸隙間を含む、請求項１〜３のいずれか一項に記載の燃料タンク不活性化プレフィルタアセンブリ。
【請求項５】
前記第１の流体流路が前記同軸隙間を含む、請求項４に記載の燃料タンク不活性化プレフィルタアセンブリ。
【請求項６】
メッシュ又は有孔ろ材を備える少なくとも１つの支持コアを更に備え、
前記支持コアが、前記第１の中空円筒状流体処理フィルタ、前記第２の中空円筒状流体処理フィルタ、前記第３の中空円筒状流体処理フィルタ、及び、前記第４の中空円筒状流体処理フィルタと同軸に配置されている、請求項１〜５のいずれか一項に記載の燃料タンク不活性化プレフィルタアセンブリ。
【請求項７】
前記第１の中空円筒状流体処理フィルタと前記第２の中空円筒状流体処理フィルタとの間に同軸に配置されたメッシュ又は有孔ろ材を備える支持コアを更に備える、請求項１〜６のいずれか一項に記載の燃料タンク不活性化プレフィルタアセンブリ。
【請求項８】
前記第１のエンドキャップが、階段状チャネル部と環状チャネル部とを含む流体フローチャネルと、凝集流体出口とを備え、前記流体フローチャネルが前記凝集流体出口と連通し、前記第１の流体流路が前記流体フローチャネルと前記凝集流体出口とを含む、請求項１〜７のいずれか一項に記載の燃料タンク不活性化プレフィルタアセンブリ。
【請求項９】
請求項１〜８のいずれか一項に記載の燃料タンク不活性化プレフィルタアセンブリと、第１のセクション及び第２のセクションを備えるハウジングとを備える燃料タンク不活性化プレフィルタ装置であって、
前記第１のセクションが、入口ポート及び出口ポートと、凝集流体出口ポートとを備え、前記第２のセクションが、前記燃料タンク不活性化プレフィルタアセンブリを受けるためのキャビティを備え、前記プレフィルタアセンブリが前記ハウジング内に配置され、前記入口ポートが未処理流体を前記第１の流体流路内及び前記第２の流体流路内へ向けて方向付け、前記出口ポートが処理済み流体を前記第２の流体流路から方向付け、前記凝集流体出口ポートが凝集流体を前記第１の流体流路から方向付ける、燃料タンク不活性化プレフィルタ装置。
【請求項１０】
プロセス空気から汚染物質を除去するための方法であって、
（ａ）第１のフィルタ上流面と第１のフィルタ下流面とを有する第１の中空円筒状流体処理フィルタに前記プロセス空気を通すステップであって、前記第１の中空円筒状流体処理フィルタが微粒子除去及びコアレッサ構成を備え、前記微粒子除去及びコアレッサ構成が、約０．５ミクロン〜約５０ミクロンの範囲内の孔径を有する繊維状プリーツ状多孔体ろ材と、疎油性及び／又は疎水性繊維状ろ材とを含み、それにより、分散相凝集流体が分散相減損流体から分離される、ステップと、
（ｂ）前記第１のフィルタ下流面からの前記分散相減損流体を第２のフィルタ上流面と第２のフィルタ下流面とを有する第２の中空円筒状流体処理フィルタに通すステップであって、前記第２の中空円筒状流体処理フィルタがオゾン減損構成を備え、前記オゾン減損構成がオゾン減損物質を備え、それにより、オゾンと分散相とが減損された流体が前記第２のフィルタ下流面から通してもたらされる、ステップと、
（ｃ）オゾンと分散相とが減損された前記流体を第３のフィルタ上流面と第３のフィルタ下流面とを有する第３の中空円筒状流体処理フィルタに通すステップであって、前記第３の中空円筒状流体処理フィルタが有機蒸気減損構成を備え、前記有機蒸気減損構成が活性炭、ゼオライト、及び／又は、活性アルミナを備え、それにより、有機蒸気が減損されてオゾンが減損されるとともに分散相が減損された流体が前記第３のフィルタ下流面から通してもたらされる、ステップと、
（ｄ）有機蒸気が減損されてオゾンが減損されるとともに分散相が減損された前記流体を第４のフィルタ上流面と第４のフィルタ下流面とを有する第４の中空円筒状流体処理フィルタに通すステップであって、前記第４の中空円筒状流体処理フィルタがプリーツ状多孔体ろ材を備える微粒子除去構成を備え、前記フィルタがＵＬＰＡフィルタ定格又はＨＥＰＡフィルタ定格を有し、それにより、ＵＬＰＡフィルタ又はＨＥＰＡフィルタでろ過され、有機蒸気とオゾンが減損されるとともに分散相が減損された流体が前記第４のフィルタ下流面から通してもたらされるステップとを含む方法。
【請求項１１】
プロセス空気から汚染物質を除去するための方法であって、
前記プロセス空気を請求項１〜８のいずれか一項に記載の燃料タンク不活性化アセンブリ又は請求項９に記載の燃料タンク不活性化プレフィルタ装置に通すステップを備え、
前記第４の中空円筒状処理フィルタが上流面と下流面とを有し、
前記方法が、凝集された分散相流体を前記第１の流体流路に沿って通すステップと、分散相減損流体を前記第４の中空円筒状処理フィルタの前記下流面から通すステップとを含む、方法。
【請求項１２】
前記第４の中空円筒状処理フィルタの前記下流面からの前記分散相減損流体を空気分離モジュールに通すステップを更に備える、請求項１１に記載の方法。
【発明の詳細な説明】
【発明の背景】
【０００１】
[0001]オンボード型不活性ガス生成システム（ＯＢＩＧＧＳ）、窒素生成システム（ＮＧＳ）、可燃性低減システム（ＦＲＳ）、及び、燃料タンク不活性化システム（ＦＴＩＳ）などの可燃性低減システムが、燃料タンク燃焼を減らすために一般に使用される。これらのシステムでは、酸素をプロセス空気から分離するために、エンジンからの加圧空気、例えばエンジンブリード空気又はプロセス空気が空気分離モジュール（ＡＳＭ）などの膜モジュールに通され、それにより、酸素が減損された不活性ガス、例えば主に窒素が濃縮された空気（ＮＥＡ）がもたらされる。不活性ガスは燃料タンク内のアレージ（すなわち、液体燃料よりも上側の空間）内へ導入され、このアレージにおいて、不活性ガスは、可燃性燃料／空気混合物を移動させて、爆発や火災の危険を減らす。
【０００２】
[0002]しかしながら、このプロセス空気は、一般に、微粒子汚染物質や、水及び油のエアロゾル等の望ましくない物質を含有する。この望ましくない物質はＡＳＭの性能を低下させる可能性がある。
【０００３】
[0003]プロセス空気をろ過するための一部のフィルタが利用可能であるが、更に改良されたフィルタが未だ求められている。
【発明の概要】
【０００４】
[0004]本発明の一実施形態は、燃料タンク不活性化プレフィルタアセンブリを提供し、この燃料タンク不活性化プレフィルタアセンブリは、（ａ）第１の面及び第２の面と、第１の面から第２の面までを貫通する中心開口とを含む、第１のエンドキャップと、（ｂ）第２のエンドキャップと、（ｃ）微粒子除去及びコアレッサ構成を備える第１の中空円筒状流体処理フィルタであって、約０．５ミクロン〜約５０ミクロンの範囲内の孔径を有するプリーツ状繊維質多孔体ろ材と、疎油性及び／又は疎水性繊維質ろ材とからなる、第１の中空円筒状流体処理フィルタと、（ｄ）オゾン減損構成を備える第２の中空円筒状流体処理フィルタであって、オゾン減損材料（蒸着触媒など）を備える、第２の中空円筒状流体処理フィルタと、（ｅ）有機蒸気減損構成を備える第３の中空円筒状流体処理フィルタであって、活性炭、ゼオライト、及び／又は、活性アルミナを備える、第３の中空円筒状流体処理フィルタと、（ｆ）プリーツ状多孔体ろ材からなる微粒子除去構成を備える第４の中空円筒状流体処理フィルタであって、該フィルタがＵＬＰＡフィルタ定格又はＨＥＰＡフィルタ定格を有する、第４の中空円筒状流体処理フィルタとを備え、第１の中空円筒状流体処理フィルタ、第２の中空円筒状流体処理フィルタ、第３の中空円筒状流体処理フィルタ、及び、第４の中空円筒状流体処理フィルタが同軸に配置され、それにより、上端及び下端を有するフィルタユニットが形成され、第１のエンドキャップがフィルタユニットの上端に結合され、第２のエンドキャップがフィルタユニットの下端に結合され、フィルタアセンブリが第１の流体流路及び第２の流体流路を画定し、（ｉ）第１の中空円筒状流体処理フィルタが第１の流体流路及び第２の流体流路を横切って配置され、（ｉｉ）第２の中空円筒状流体処理フィルタ、第３の中空円筒状流体処理フィルタ、及び、第４の中空円筒状流体処理フィルタが第２の流体流路を横切って配置される。
【０００５】
[0005]一実施形態において、燃料タンク不活性化プレフィルタアセンブリは、好ましくは、同軸に配置される第１の中空円筒状流体処理フィルタと第２の中空円筒状流体処理フィルタとの間に同軸隙間を含み、第１の流体流路が同軸隙間を含む。
【０００６】
[0006]別の実施形態では、燃料タンク不活性化プレフィルタ装置が提供され、該装置は、第１のセクション及び第２のセクションを備えるハウジングを備え、第１のセクションは、入口ポート及び出口ポートと凝集流体出口ポートとを備え、第２のセクションは、燃料タンク不活性化プレフィルタアセンブリを受けるためのキャビティを備え、フィルタアセンブリがハウジング内に配置され、入口ポートが未処理流体を第１の流体流路内及び第２の流体流路内へ向けて方向付け、出口ポートが処理済み流体を第２の流体流路から方向付け、また、凝集流体出口ポートが凝集流体を第１の流体流路から方向付ける。
【０００７】
[0007]本発明の別の実施形態は、プロセス空気から汚染物質を除去するための方法を備え、該方法は、（ａ）第１のフィルタ上流面と第１のフィルタ下流面とを有する第１の中空円筒状流体処理フィルタにプロセス空気を通すステップであって、第１の中空円筒状流体処理フィルタが微粒子除去及びコアレッサ構成を備え、約０．５ミクロン〜約５０ミクロンの範囲内の孔径を有するプリーツ状繊維質多孔体ろ材と、疎油性及び／又は疎水性繊維質ろ材とを含み、それにより、分散相凝集流体が分散相減損流体から分離される、ステップと、（ｂ）第１のフィルタ下流面からの分散相減損流体を第２のフィルタ上流面と第２のフィルタ下流面とを有する第２の中空円筒状流体処理フィルタに通すステップであって、第２の中空円筒状流体処理フィルタがオゾン減損物質（蒸着触媒など）を含むオゾン減損構成を備え、それにより、オゾンと分散相とが減損された流体が第２のフィルタ下流面から通してもたらされるステップと、（ｃ）オゾンと分散相とが減損された流体を第３のフィルタ上流面と第３のフィルタ下流面とを有する第３の中空円筒状流体処理フィルタに通すステップであって、第３の中空円筒状フィルタが活性炭、ゼオライト、及び／又は、活性アルミナを含む有機蒸気減損構成を備え、それにより、有機蒸気が減損されてオゾンが減損されるとともに分散相が減損された流体が第３のフィルタ下流面から通してもたらされるステップと、（ｄ）有機蒸気が減損されてオゾンが減損されるとともに分散相が減損された流体を第４のフィルタ上流面と第４のフィルタ下流面とを有する第４の中空円筒状流体処理フィルタに通すステップであって、第４の中空円筒状流体処理フィルタがプリーツ状多孔体ろ材を備える微粒子除去構成を備え、フィルタがＵＬＰＡフィルタ定格又はＨＥＰＡフィルタ定格を有し、それにより、ＵＬＰＡフィルタ又はＨＥＰＡフィルタでろ過され有機蒸気とオゾンが減損されるとともに分散相が減損された流体が第４のフィルタ下流面から通してもたらされるステップとを備える。
【図面の簡単な説明】
【０００８】
【図１】本発明に係る燃料タンク不活性化プレフィルタアセンブリの一実施形態の分解図を示し、アセンブリは、第１及び第２のエンドキャップと、同軸に配置される第１、第２、第３、及び、第４の中空円筒状流体処理フィルタを備えるフィルタユニットとを備える。
【図２】図１に示される同軸に配置される第１、第２、第３、及び、第４の中空円筒状流体処理フィルタを備えるフィルタユニットの分解概略図を示す。
【図３Ａ】本発明に係る燃料タンク不活性化プレフィルタアセンブリの実施形態と共に用いるための流体フローチャネルを含む１つの例示的な第１のエンドキャップの断面図を示す（流体フローチャネルの階段状チャネル部も示す）。
【図３Ｂ】本発明に係る燃料タンク不活性化プレフィルタアセンブリの実施形態と共に用いるための流体フローチャネルを含む１つの例示的な第１のエンドキャップの平面図を示す（流体フローチャネルの環状チャネル部、及び、フィルタユニットの断面図も示す）。
【図３Ｃ】本発明に係る燃料タンク不活性化プレフィルタアセンブリの実施形態と共に用いるための流体フローチャネルを含む別の例示的な第１のエンドキャップの断面図を示し（流体フローチャネルの環状チャネル部も示す）、流体流路が階段状チャネル部を含まない。
【図３Ｄ】本発明に係る燃料タンク不活性化プレフィルタアセンブリの実施形態と共に用いるための流体フローチャネルを含む別の例示的な第１のエンドキャップの下面図を示し、流体流路が階段状チャネル部を含まない。
【図４Ａ】図１に示される燃料タンク不活性化プレフィルタアセンブリの実施形態の側断面図を示す。
【図４Ｂ】図１に示される燃料タンク不活性化プレフィルタアセンブリの実施形態の等角図を示す。
【図５Ａ】第１及び第２の流体流路を示す、本発明に係る燃料タンク不活性化プレフィルタアセンブリの別の実施形態で用いるための別のフィルタユニットの平断面図（全図）を示し、流体の流れが図１に示される「内側から外側への」流れとは対照的に「外側から内側」へ向かう。
【図５Ｂ】第１及び第２の流体流路を示す、本発明に係る燃料タンク不活性化プレフィルタアセンブリの別の実施形態で用いるための別のフィルタユニットの平断面図（「Ａ」の部分図）を示し、流体の流れが図１に示される「内側から外側への」流れとは対照的に「外側から内側」へ向かう。
【図６Ａ】第１のセクションと第２のセクションとを有するハウジングを備える、本発明に係る燃料タンク不活性化プレフィルタ装置の一実施形態、及び、ハウジング内に配置される燃料タンク不活性化プレフィルタアセンブリの一実施形態の断面図を示し、また、第１及び第２の流体流路を示すとともに、本発明に係る燃料タンク不活性化プレフィルタアセンブリの実施形態と共に用いるための流体フローチャネルを含む例示的な第１のエンドキャップ（図３Ｃ及び図３Ｄに示される）も示し、流体フローチャネルが階段状チャネル部を含まない。
【図６Ｂ】第１のセクションと第２のセクションとを有するハウジングを備える、本発明に係る燃料タンク不活性化プレフィルタ装置の一実施形態、及び、ハウジング内に配置される燃料タンク不活性化プレフィルタアセンブリの一実施形態の断面図を示し、また、第１及び第２の流体流路を示すとともに、本発明に係る燃料タンク不活性化プレフィルタアセンブリの実施形態と共に用いるための流体フローチャネルを含む例示的な第１のエンドキャップ（図３Ａ及び図３Ｂに示される）も示し、流体フローチャネルが階段状チャネル部を含む。
【図７】ＯＢＩＧＧＳシステム又はＦＴＩＳシステムにおける燃料タンク不活性化プレフィルタ装置の使用を示す概略的なフローチャートである。
【発明を実施するための形態】
【０００９】
[0017]本発明の一実施形態によれば、燃料タンク不活性化プレフィルタアセンブリを提供され、この燃料タンク不活性化プレフィルタアセンブリは、（ａ）第１の面及び第２の面と、第１の面から第２の面までを貫通する中心開口とを含む、第１のエンドキャップと、（ｂ）第２のエンドキャップと、（ｃ）微粒子除去及びコアレッサ構成を備える第１の中空円筒状流体処理フィルタであって、約０．５ミクロン〜約５０ミクロンの範囲内の孔径を有するプリーツ状繊維質多孔体ろ材と、疎油性及び／又は疎水性繊維質ろ材とを含む、第１の中空円筒状流体処理フィルタと、（ｄ）オゾン減損構成を備える第２の中空円筒状流体処理フィルタであって、オゾン減損物質（例えば二酸化マンガンからなる蒸着触媒など）を備える、第２の中空円筒状流体処理フィルタと、（ｅ）有機蒸気減損構成を備える第３の中空円筒状流体処理フィルタであって、活性炭、ゼオライト、及び／又は、活性アルミナを備える、第３の中空円筒状流体処理フィルタと、（ｆ）プリーツ状多孔体ろ材を備える微粒子除去構成を備える第４の中空円筒状流体処理フィルタであって、該フィルタがＵＬＰＡフィルタ定格又はＨＥＰＡフィルタ定格を有する、第４の中空円筒状流体処理フィルタとを備え、第１の中空円筒状流体処理フィルタ、第２の中空円筒状流体処理フィルタ、第３の中空円筒状流体処理フィルタ、及び、第４の中空円筒状流体処理フィルタが同軸に配置され、それにより、上端及び下端を有するフィルタユニットが形成され、第１のエンドキャップがフィルタユニットの上端に結合され、第２のエンドキャップがフィルタユニットの下端に結合され、フィルタアセンブリが第１の流体流路及び第２の流体流路を画定し、（ｉ）第１の中空円筒状流体処理フィルタが第１の流体流路及び第２の流体流路を横切って配置され、（ｉｉ）第２の中空円筒状流体処理フィルタ、第３の中空円筒状流体処理フィルタ、及び、第４の中空円筒状流体処理フィルタが第２の流体流路を横切って配置される。
【００１０】
[0018]一実施形態において、燃料タンク不活性化プレフィルタアセンブリは、好ましくは、同軸に配置される第１の中空円筒状流体処理フィルタと第２の中空円筒状流体処理フィルタとの間に同軸隙間を含み、第１の流体流路が同軸隙間を含む。
【００１１】
[0019]燃料タンク不活性化アセンブリの１つの実施形態において、第１のエンドキャップは、階段状チャネル部と環状チャネル部とを含む流体フローチャネルと、凝集流体出口とを備え、流体フローチャネルが凝集流体出口と連通し、第１の流体流路が流体フローチャネルと凝集流体出口とを含む。
【００１２】
[0020]別の実施形態では、燃料タンク不活性化プレフィルタ装置が提供され、該装置は、第１のセクション及び第２のセクションを備えるハウジングを備え、第１のセクションは、入口ポート及び出口ポートと凝集流体出口ポートとを備え、第２のセクションは、燃料タンク不活性化プレフィルタアセンブリを受けるためのキャビティを備え、フィルタアセンブリがハウジング内に配置され、入口ポートが未処理流体を第１の流体流路内及び第２の流体流路内へ向けて方向付け、出口ポートが処理済み流体を第２の流体流路から方向付け、また、凝集流体出口ポートが凝集流体を第１の流体流路から方向付ける。
【００１３】
[0021]本発明の別の実施形態は、プロセス空気から汚染物質を除去するための方法を備え、該方法は、（ａ）第１のフィルタ上流面と第１のフィルタ下流面とを有する第１の中空円筒状流体処理フィルタにプロセス空気を通すステップであって、第１の中空円筒状流体処理フィルタが微粒子除去及びコアレッサ構成を備え、約０．５ミクロン〜約５０ミクロンの範囲内の孔径を有するプリーツ状繊維質多孔体ろ材と、疎油性及び／又は疎水性繊維質ろ材とを含み、それにより、分散相分散相が減損された流体から分離される分散相分散相凝集流体がもたらされる、ステップと、（ｂ）第１のフィルタ下流面からの分散相減損流体を第２のフィルタ上流面と第２のフィルタ下流面とを有する第２の中空円筒状流体処理フィルタに通すステップであって、第２の中空円筒状流体処理フィルタがオゾン減損構成を備え、オゾン減損構成が二酸化マンガンからなる蒸着触媒を備え、それにより、オゾンと分散相とが減損された流体が第２のフィルタ下流面から通してもたらされる、ステップと、（ｃ）オゾンと分散相とが減損された流体を第３のフィルタ上流面と第３のフィルタ下流面とを有する第３の中空円筒状流体処理フィルタに通すステップであって、第３の中空円筒状フィルタが活性炭、ゼオライト、及び／又は、活性アルミナを含む有機蒸気減損構成を備え、それにより、有機蒸気が減損されてオゾンが減損されるとともに分散相が減損された流体が第３のフィルタ下流面から通してもたらされるステップと、（ｄ）有機蒸気が減損されてオゾンが減損されるとともに分散相が減損された流体を第４のフィルタ上流面と第４のフィルタ下流面とを有する第４の中空円筒状流体処理フィルタに通すステップであって、第４の中空円筒状流体処理フィルタがプリーツ状多孔体ろ材を備える微粒子除去構成を備え、フィルタがＵＬＰＡフィルタ定格又はＨＥＰＡフィルタ定格を有し、それにより、ＵＬＰＡフィルタ又はＨＥＰＡフィルタでろ過され、有機蒸気とオゾンが減損されるとともに分散相が減損された流体が第４のフィルタ下流面から通してもたらされるステップとを備える。
【００１４】
[0022]本発明の別の実施形態は、プロセス空気から汚染物質を除去するための方法を備え、該方法は、プロセス空気を燃料タンク不活性化アセンブリの一実施形態又は燃料タンク不活性化プレフィルタ装置に通すステップを備え、第４の中空円筒状処理フィルタが上流面と下流面とを有し、方法は、分散相流体を第１の流体流路に沿って通すステップと、分散相減損流体を第４の中空円筒状処理フィルタの下流面から通すステップとを含む。
【００１５】
[0023]方法の実施形態は、燃料タンク不活性化フィルタアセンブリ及び／又は燃料タンク不活性化プレフィルタ装置を通じた内側から外側への流れを備える。
【００１６】
[0024]方法の他の実施形態は、燃料タンク不活性化フィルタアセンブリ及び／又は燃料タンク不活性化プレフィルタ装置を通じた外側から内側への流れを備える。
【００１７】
[0025]幾つかの実施形態において、方法は、第４の中空円筒状処理フィルタの下流面からの分散相減損流体を空気分離モジュールに通すステップを更に備える。
【００１８】
[0026]別の実施形態では、燃料タンク不活性化アセンブリを形成する方法が提供され、この場合、流体処理フィルタを個別に又は様々な組み合わせで組み込むことができる。例えば、１つの実施形態では、第１の中空円筒状処理フィルタが第２、第３、及び、第４の中空円筒状処理フィルタとは別個に組み込まれ、この場合、第２、第３、及び、第４の中空円筒状処理フィルタは、アセンブリの一部として組み込む前に一体構造体として組み合わされる。
【００１９】
[0027]本発明によれば、空気又はガスを洗浄して、微粒子、水分（例えば油及び／又は水）、オゾン、及び、揮発性有機化合物を洗い流すことができ、それにより、ＡＳＭシステムなどの高感度で高精度のシステムで用いるための極めて清浄な空気又はガスがもたらされる。本発明の実施形態は、内側から外側への流れ用途（例えば図１参照）及び外側から内側への流れ用途（例えば図５参照）に適している。
【００２０】
[0028]時として高効率微粒子拘束又は高効率微粒子エアフィルタと呼ばれるＨＥＰＡフィルタ、及び、時として超低透過エアロゾルフィルタと呼ばれるＵＬＰＡフィルタは、効率の特定の基準を満たす。米国政府規格によりＨＥＰＡと見なされるために、フィルタは、０．３μｍのサイズを有する粒子の９９．９７％を（通過する空気から）除去する。米国政府規格によりＵＬＰＡと見なされるために、フィルタは、０．１２μｍのサイズを有する粒子の少なくとも９９．９９９％を空気から除去する。
【００２１】
[0029]好適には、有機蒸気減損構成を含むことにより、また、その有機蒸気減損構成をオゾン減損構成とＵＬＰＡフィルタ又はＨＥＰＡフィルタ定格を有する微粒子除去構成との間の流体流路内に配置することにより、空気がＵＬＰＡフィルタ又はＨＥＰＡフィルタ定格を有する微粒子除去構成に到達する前及び空気がＡＳＭに達する前にオゾンが減損されたプロセス空気から揮発性有機化合物（ＶＯＣ）が減損され、したがって、微粒子除去構成及び／又はＡＳＭに対する損傷が防止され或いは減少される。これは、それらがＶＯＣに起因して分解され得るからである。有機蒸気減損構成は、ＶＯＣのスパイクを減らす際に特に有用であり、この場合、ＶＯＣをスパイク事象後にかなり低い濃度で経時的に下流側で解放できる。例えば、フィルタアセンブリは、所定の期間にわたって、例えば約３〜約７分にわたって初期ＶＯＣスパイクの１００％又はほぼ１００％を除去でき、その後、ＶＯＣをより低い濃度で、例えば約１０分後に約５０％以下で解放することができる。
【００２２】
[0030]また、有機蒸気減損構成がオゾン減損構成の下流側に配置されるため、空気が有機蒸気減損構成と接触してこれを通過する前に、有機蒸気減損構成の要素（例えば、活性炭、ゼオライト、及び／又は、活性アルミナなどの要素）を損傷（例えば分解）させ得るオゾンが空気から減損され、或いは除去される。
【００２３】
[0031]燃料タンク不活性化システムに特に適していることに加えて、本発明の実施形態は、例えば極めて清浄な空気又はガスを必要とする任意の用途、例えば酸素富化自給式呼吸器システム、病院用酸素発生システム、及び、キャビンエアフィルタに関し、様々な更なる用途を有する。
【００２４】
[0032]以下に、本発明の構成要素のそれぞれについて更に詳しく説明する。ここで、同じ構成要素は同じ参照数字を有する。
【００２５】
[0033]フィルタ、フィルタユニット、及び、フィルタアセンブリは任意の適した形状を成すことができ、図示の実施形態によれば、それらは好ましくは略円筒状に形成される。
【００２６】
[0034]燃料タンク不活性化プレフィルタアセンブリ１０００を示す図１、図２、図４Ａ、及び、図５に例示される実施形態では、第１の中空円筒状流体処理フィルタ１００、第２の中空円筒状流体処理フィルタ２００、第３の中空円筒状流体処理フィルタ３００、及び、第４の中空円筒状流体処理フィルタ４００が同軸に配置され、それにより、下端５０１と上端５０２とを有するフィルタユニット５００が形成され、下端は第１のエンドキャップ１００１に結合され、上端は第２のエンドキャップ１００２に結合される。図４Ａ、図６Ａ、及び、図６Ｂに示されるように、燃料タンク不活性化プレフィルタアセンブリ１０００は第１の流体流路６０１及び第２の流体流路６０２を備え、この場合、流体の流れは「内側から外側へ」向かう。一方、図５はフィルタユニット５００を示し、この場合、流体の流れは「外側から内側へ」向かう。
【００２７】
[0035]好ましくは、図３Ｂ、図４Ａ、図５Ｂ、図６Ａ、及び、図６Ｂに示されるように、燃料タンク不活性化プレフィルタアセンブリ１０００及びフィルタ５００は、同軸に配置される第１の中空円筒状流体処理フィルタ１００と第２の中空円筒状流体処理フィルタ２００との間に同軸隙間１０４０を含み、この場合、第１の流体流路６０１が同軸隙間を含む。図３Ｄも同軸隙間１０４０を示す。
【００２８】
[0036]図６Ａ及び図６Ｂに示される実施形態では、燃料タンク不活性化フィルタ装置１５００がハウジング１５５０内に配置される燃料タンク不活性化プレフィルタアセンブリ１０００を備え、ハウジングは第１のセクション１５５１及び第２のセクション１５５２を有する。
【００２９】
[0037]参照のために図２を使用すると、第１の中空円筒状流体処理フィルタ１００は、上流面１００Ａ及び下流面１００Ｂを有するとともに、微粒子除去及びコアレッサ構成１０１を備え、約０．５ミクロン〜約５０ミクロンの範囲内の孔径を有するプリーツ状繊維質多孔体ろ材１１０と、疎油性及び／又は疎水性繊維質ろ材１２０とを含む。第１の中空円筒状流体処理フィルタは、プロセス空気中の微粒子物質の大部分を除去して、空気流から水及び油を凝集させ、それにより、凝集流体（凝集された分散相）を第１の中空円筒状流体処理フィルタの下流面から第１の流体流路に沿って通して（例えば、燃料タンク不活性化プレフィルタ装置から）流出させることができる。一実施形態において、第１の中空円筒状流体処理フィルタは少なくとも約９９．９％油エアロゾル除去効率を有する。
【００３０】
[0038]様々な繊維状物質が、プリーツ状繊維質多孔体ろ材１１０として使用するのに適しており、また、疎油性及び／又は疎水性繊維質多孔体ろ材１２０に適しており、適した材料が当該技術分野において知られている。
【００３１】
[0039]１つの実施形態において、プリーツ状繊維質多孔体ろ材は、好ましくはメッシュバッキングなどの不織布バッキング上に横たえられてプリーツ形状を成す、より多くのガラス繊維層のうちの１つを備える。ろ材、又は、バッキングを伴うろ材は、当該技術分野において知られるようにプリーツ状であってもよく、例えば、ろ材は、流体処理フィルタの軸方向端部間で軸方向に延びる複数のプリーツを含むことができる。プリーツは、流体処理フィルタの外側環状部に配置される山部と、内側環状部付近に配置される谷部とを含んでもよく、山部及び谷部は一対のプリーツ脚により接続される。プリーツ状ろ材はファン型プリーツを含んでもよく、この場合、山部は内側環状部から径方向外側に延び、或いは、プリーツ状ろ材は、米国特許第５，５４３，０４７号明細書及び米国特許第５，２５２，２０７号明細書に示されるようにレイドオーバー状態のプリーツを含んでもよい。好ましくは、ろ材、又は、バッキングを伴うろ材は、有孔コアなどの内側円筒支持体１０を含む。
【００３２】
[0040]１つの実施形態では、疎油性及び／又は疎水性繊維質多孔体ろ材１２０がポリエステル系フェルトメルトブロウン物質を備える。繊維状多孔体ろ材は、当該技術分野において知られる様々な技術、例えばスプレーコーティング又はディップコーティングにより、それを疎油性及び疎水性にする或いは更に疎油性及び／又は更に疎水性にするように処理され得る。
【００３３】
[0041]好ましくは、疎油性及び／又は疎水性繊維質多孔体ろ材がプリーツ状繊維質多孔体ろ材の周囲に巻き付けられる。
【００３４】
[0042]第２の中空円筒状流体処理フィルタ２００は、上流面２００Ａ及び下流面２００Ｂを有するとともに、オゾン減損構成２１０を備え、オゾン減損構成は、蒸着触媒、例えば二酸化マンガンを備える蒸着触媒などのオゾン減損物質を備える。様々な物質（様々な触媒減損物質、例えば白金などの貴金属、或いは、蒸着触媒、例えば二酸化マンガンを含む）がオゾン減損構成として使用するのに適しており、また、適した物質が当該技術分野において知られている。
【００３５】
[0043]１つの実施形態において、オゾン減損構成は、例えばオープンセルフォームパッド２２０などの流体の流通を可能にする物質上に蒸着される二酸化マンガン（ＭｎＯ２）触媒を備える。望ましくは、蒸着ＭｎＯ２触媒を備えるオゾン減損構成を有孔コア、メッシュ、又は、有孔ろ材などの中心円筒支持体２０の周囲に巻き付けることができる。１つの実施形態において、オゾン減損構成は、オープンセルフォームパッド上に蒸着されて有孔コアの周囲に２回巻き付けられる二酸化マンガン（ＭｎＯ２）を備える。巻き付け数又は層数は、好ましくは少なくとも約０．６ｍＳの滞留時間、より好ましくは少なくとも約０．８ｍＳのような、触媒が空気流からオゾン（Ｏ３）を除去するのに適した滞留時間を与えるように選択する。１つの実施形態において、オゾン減損構成は、約５００ｐｐｂの初期レベルから約１０ｐｐｂ以下のレベルまでオゾンを除去する。
【００３６】
[0044]本発明の好ましい実施形態によれば、オゾン減損構成が有機蒸気減損構成の上流側に配置され、それにより、空気が有機蒸気減損構成と接触してこれを通過する前に、有機蒸気減損構成の要素（例えば、活性炭、ゼオライト、及び／又は、活性アルミナなどの要素）を損傷（例えば分解）させ得るオゾンが空気から減損され或いは除去される。
【００３７】
[0045]第３の中空円筒状流体処理フィルタ３００は、上流面３００Ａ及び下流面３００Ｂを有するとともに、有機蒸気減損構成３１０を備え、有機蒸気減損構成は、活性炭、ゼオライト、及び／又は、活性アルミナを備える。様々な材料が有機蒸気減損構成として使用するのに適しており、また、適した材料が当該技術分野において知られている。更に、様々なフィルタ形態が適しており、また、適した形態が当該技術分野において知られている。
【００３８】
[0046]例えば、活性炭粒子又は活性炭球を不織布の層間に固定する或いは（例えば結合剤を使用して）結合してモノリスの状態にすることができる。これに代えて或いは加えて、活性炭基布を使用できる。望ましい場合には、活性炭を例えばゼオライト及び／又は活性アルミナと置き換える或いはゼオライト及び／又は活性アルミナと組み合わせることができる。
【００３９】
[0047]１つの実施形態では、有機蒸気減損構成がオゾン減損構成の周囲に巻き付けられ、例えば、１つの実施形態では、有機蒸気減損構成がオゾン減損構成の周囲に６回巻き付けられる。巻き付け数又は層数は、好ましくは少なくとも約３０ｍＳの滞留時間、より好ましくは少なくとも約４０ｍＳのような、活性炭、ゼオライト、及び／又は、活性アルミナが空気流からＶＯＣを除去するのに適した滞留時間を与えるように選択され得る。
【００４０】
[0048]幾つかの実施形態において、有機蒸気減損構成は、差圧２００Paにおける約１５００L／ｍ２／ｓの空気透過性、約５２０±８０ｇ／ｍ２の吸着材重量面積、及び／又は、約１０００ｍ２／ｇ〜約２０００ｍ２／ｇの有効比表面積のうちのいずれかの任意の１つ以上を有する。
【００４１】
[0049]有機蒸気減損構成は（例えば、第１の中空円筒状流体処理フィルタにおけるプリーツ状繊維質多孔体ろ材に関して前述したように）プリーツ状であってもよい。望ましくは、プリーツ状有機蒸気減損構成は、第４の中空円筒状流体処理要素（後述する）と共通のプリーツを有することができ、或いは、別個のフィルタ要素として利用され得る。別個のフィルタ要素として利用されるプリーツ状有機蒸気減損構成の１つの好ましい実施形態では、プリーツ状構成が織り金属メッシュなどの支持体を更に備える。
【００４２】
[0050]本発明の好ましい実施形態によれば、有機蒸気減損構成が、オゾン減損構成とＵＬＰＡ又はＨＥＰＡフィルタ定格を有する第４の中空円筒状フィルタとの間の流体流路内に配置され、それにより、空気がＵＬＰＡ又はＨＥＰＡフィルタ定格を有する第４のフィルタに到達する前及び空気がＡＳＭに達する前にオゾンが減損されたプロセス空気から揮発性有機化合物（ＶＯＣ）が減損され、したがって、VOCによって劣化する可能性がある第４のフィルタ及び／又はＡＳＭの損傷が防止され或いは低減される。有機蒸気減損構成は、ＶＯＣのスパイクを減らす際に特に有用であり、この場合、スパイク発生時の過剰なＶＯＣを、時間を掛けてかなり低い濃度にすることができる。
【００４３】
[0051]第４の中空円筒状流体処理フィルタ４００は、上流面４００Ａ及び下流面４００Ｂを有するとともに、プリーツ状多孔体ろ材を備える微粒子除去構成４１０を備え、フィルタは、ＵＬＰＡフィルタ定格又はＨＥＰＡフィルタ定格を有する。
【００４４】
[0052]プロセス空気内の微粒子物質の大部分を除去する第１の中空円筒状流体処理フィルタとは対照的に、第４の中空円筒状流体処理フィルタは、空気流中に残存する粒子の全て或いはほぼ全てを除去する「ポリッシング」フィルタであり、したがって、第４のフィルタの下流面から第２の流体流路に沿って通る空気は、ＵＬＰＡフィルタ又はＨＥＰＡフィルタでろ過され、有機蒸気とオゾンが減損されるとともに分散相が減損された流体を含む。
【００４５】
[0053]様々な材料がプリーツ状多孔体ろ材として使用するのに適しており、フィルタは、ＵＬＰＡフィルタ定格又はＨＥＰＡフィルタ定格を有し、また、適した材料が当該技術分野において知られている。更に、様々なフィルタ形態が、適しており、当該技術分野において知られている。
【００４６】
[0054]適した材料としては、ガラス繊維などの繊維材料、及び／又は、メルトブロウンろ材などの高分子ろ材、又は、高分子膜などの膜が挙げられる。
【００４７】
[0055]ＵＬＰＡ定格フィルタ又はＨＥＰＡ定格フィルタは（第１の中空円筒状流体処理フィルタにおけるプリーツ状繊維質多孔体ろ材に関して前述したように）プリーツ状であってもよい。望ましくは、ＵＬＰＡ定格フィルタ又はＨＥＰＡ定格フィルタは、（前述したような）有機蒸気減損構成と共通のプリーツを有することができ、或いは、別個のフィルタ要素として利用され得る。別個のフィルタ要素として利用されるプリーツ状フィルタの１つの好ましい実施形態では、プリーツ状構成が織り金属メッシュなどの１つ以上の支持体又はラップ３０を更に備える（１つの実施形態では、多孔体ろ材がメッシュ間に挟まれる）。
【００４８】
[0056]第４の中空円筒状流体処理フィルタは、例えば最大で約１０．５ｆｔ／分（約３．２ｍ／分）の適切な目標ろ過速度を与えて、空気を処理するための高効率ろ過をもたらすように配置されることが好ましい。
【００４９】
[0057]第１の中空円筒状流体処理フィルタ、第２の中空円筒状流体処理フィルタ、第３の中空円筒状流体処理フィルタ、及び、第４の中空円筒状流体処理フィルタは、同軸に配置され、それにより、下端５０１と上端５０２とを有するフィルタユニット５００が形成され、この場合、第１のエンドキャップ１００１がフィルタユニットの下端に結合され、また、第２のエンドキャップ１００２がフィルタユニットの上端に結合され、それにより、燃料タンク不活性化プレフィルタアセンブリ１０００がもたらされる。エンドキャップをフィルタユニットに結合するのに適した結合材料及び／又は接着剤が当該技術分野において知られている。１つの実施形態では、結合材料がフェノール樹脂である。
【００５０】
[0058]エンドキャップに適した材料は当該技術分野において知られている。
【００５１】
[0059]図３Ａ、図３Ｂ、図３Ｃ、図３Ｄ、図４Ａ、及び、図６に示される例示された形態では、第１のエンドキャップ１００１が第１の面１０１１及び第２の面１０１２を有し、中心開口１０１０が第１及び第２の面を貫通し、また、流体フローチャネル１０５０が凝集流体出口１０６０と連通する。以下で更に詳しく説明されるように、「内側から外側へ」及び「外側から内側へ」の流れ用途のいずれにおいても、中心開口１０１０が第１の流体流路６０１及び第２の流体流路６０２の両方と連通し、また、流体フローチャネル１０５０（図３Ｄには示されない）及び凝集流体出口１０６０が第２の流体流路６０２と連通する。第２のエンドキャップ１００２が中心開口を有する場合には、フィルタユニット５００が使用される前に中心開口が塞がれ或いはカバーされる。
【００５２】
[0060]図３Ａ、図３Ｂ、及び、図４Ａに示される形態では、流体フローチャネル１０５０が階段状チャネル部１０５１と環状チャネル部１０５２とを有する。（例えば、図１及び図３Ａに示されるような）一実施形態では、フィルタの組み立てを容易にするために、第１のエンドキャップ１０００が第１のセクション１００１Ａと第２のセクション１００１Ｂとを備え、この場合、凝集流体がセクション間の隙間を通じて流出し、隙間は、セクション１００１Ｂの凹部１０７５と接触する階段状チャネル部の下側段部によって与えられる。
【００５３】
[0061]組み立ての容易さに関しては、例示的に、第１の中空円筒状流体処理フィルタ１００及び内側支持体１０が（例えば、「部品１」を形成するために）第１のセクション１００１Ａに結合され、また、第２、第３、及び、第４の中空円筒状流体処理フィルタ２００，３００，４００並びに支持体２０，３０（２０，３０は、好ましくは、有孔コア、メッシュ、又は、有孔ろ材を備える）が（例えば「部品２」を形成するために）第２のセクション１００１Ｂに結合され、部品２は第２のエンドキャップ１００２により閉栓され、また、部品１は、第２の中空円筒状流体処理フィルタ２００の中空内部に押し通されて第２のエンドキャップ１００２の内面と接触する。
【００５４】
[0062]図６Ａに示される形態では、流体フローチャネル１０５０が階段状チャネル部を含まず、流体フローチャネルが真っ直ぐな貫通流路をもたらし、図６Ｂに示される形態では、流体フローチャネル１０５０が階段状チャネル部を含む。
【００５５】
[0063]特に図４Ａ，図５（エンドキャップを伴わないフィルタ５００を示す）、図６Ａ、及び、図６Ｂに示されるように、フィルタアセンブリ１０００が第１の流体流路６０１及び第２の流体流路６０２を画定し、この場合、（ｉ）第１の中空円筒状流体処理フィルタが第１の流体流路６０１及び第２の流体流路６０２を横切って配置され、（ｉｉ）第２の中空円筒状流体処理フィルタ、第３の中空円筒状流体処理フィルタ、及び、第４の中空円筒状流体処理フィルタが第２の流体流路６０２を横切って配置される。
【００５６】
[0064]好ましい実施形態では、フィルタアセンブリが０ｐｓｉｇ〜約１００ｐｓｉｇの範囲の圧力を有する。
【００５７】
[0065]図６Ａ及び図６Ｂに示される実施形態では、燃料タンク不活性化フィルタ装置１５００がハウジング１５５０内に配置される燃料タンク不活性化プレフィルタアセンブリ１０００を備え、ハウジングは第１のセクション１５５１及び第２のセクション１５５２を有する。図示の第１のハウジングセクション１５５１は、入口ポート１５６１及び出口ポート１５６２と、凝集流体出口ポート１５６３とを備え、第２のセクション１５５２は、燃料タンク不活性化プレフィルタアセンブリを受けるためのキャビティ１５６０を備え、この場合、フィルタアセンブリがハウジング内に配置され、入口ポート１５６１が未処理流体（プロセス空気）を第１の流体流路６０１内及び第２の流体流路６０２内へ向けて方向付け、出口ポート１５６２が処理済み流体（ＵＬＰＡフィルタ又はＨＥＰＡフィルタでろ過され、有機蒸気とオゾンが減損されるとともに分散相が減損された流体）を第２の流体流路から方向付け、また、凝集流体出口ポート１５６３が凝集流体（分散相が減損された流体から分離された分散相凝集流体）を第１の流体流路６０１から方向付けて装置から出す。
【００５８】
[0066]フィルタ装置及びハウジングは、任意の適した形状を成すことができるとともに、当該技術分野において知られるように（例えば、以下、すなわち、セクションの数、入口、出口、及び、凝集流体出口ポートのいずれかの１つ以上に関して）構成することができ、また、ハウジングは、ポートなどの１つ以上の更なる構成要素を有することができる。
【００５９】
[0067]図７に示されるように、装置からのろ過されたガスは、空気分離モジュール（ＡＳＭ）を通じて燃料タンクへ通される。
【００６０】
[0068]本明細書中に挙げられる公開公報、特許出願、及び、特許を含む全ての引用文献は、あたかもそれぞれの引用文献が参照により組み入れられるように個別に且つ具体的に示唆されてその全体が本明細書中に記載されたかのような同じ程度まで参照により本願に組み入れられる。
【００６１】
[0069]発明を説明する文脈の中（特に、以下の特許請求の範囲との関連）での用語「１つの（ａ）」、「１つの（ａｎ）」、「その（ｔｈｅ）」、及び、「少なくとも１つ」、並びに、同様の指示対象の使用は、本明細書中で別段に示唆されなければ或いは文脈により明らかに矛盾しなければ、単数形及び複数形の両方を網羅するように解釈されるべきである。その後に１つ以上の項目のリストが続く用語「少なくとも１つ」の使用（例えば、「Ａ及びＢのうちの少なくとも１つ」）は、本明細書中で別段に示唆されなければ或いは文脈により明らかに矛盾しなければ、挙げられた項目から選択される１つの項目（Ａ又はＢ）或いは挙げられた項目のうちの２つ以上の任意の組み合わせ（Ａ及びＢ）を意味するように解釈されるべきである。用語「備える」、「有する」、「含む」、及び、「包含する」は、別段に言及されなければ、非制約的な用語（すなわち、「〜を含むがそれに限定されない」を意味する）として解釈されるべきである。本明細書中の値の範囲の列挙は、本明細書中で別段に示唆されなければ、単にその範囲内に入るそれぞれの別個の値に個別に言及する省略法としての機能を果たそうとしているにすぎず、また、それぞれの別個の値は、あたかもそれが本明細書中に個別に記載されたかのように明細書中に組み入れられる。本明細書中に記載される全ての方法は、本明細書中で別段に示唆されなければ或いは文脈により明らかに矛盾しなければ、任意の適した順序で行なうことができる。本明細書中で与えられる任意の及び全ての例又は典型的な言葉（例えば「など」）の使用は、単に本発明をより良く解明しようとしているにすぎず、別段に特許請求の範囲に記載されなければ、本発明の範囲に限定をもたらさない。明細書中の言葉は、特許請求の範囲に記載されない任意の要素が本発明の実施に不可欠であると見なすように解釈されるべきでない。
【００６２】
[0070]本発明を実施するために発明者等に知られる最良の形態を含むこの発明の好ましい実施形態が本明細書中に記載される。これらの好ましい実施形態の変形は、前述の説明を読むと当業者に明らかになり得る。発明者等は、当業者がそのような変形を必要に応じて使用することを予期し、また、発明者等は、本明細書中に具体的に記載される方法以外の方法で本発明が実際されることを意図する。したがって、この発明は、適用可能な法律により許容されるように、本明細書に添付された特許請求の範囲に挙げられる主題の全ての改変及び均等物を含む。また、前述の要素のその全ての想定し得る変形における任意の組み合わせは、本明細書中で別段に示唆されなければ或いは文脈により明らかに矛盾しなければ、本発明によって包含される。
【符号の説明】
【００６３】
１００…      第１の中空円筒状流体処理フィルタ
１０１…      微粒子除去及びコアレッサ構成
１１０…プリーツ状繊維質多孔体ろ材
１２０…疎油性及び／又は疎水性繊維質ろ材
２００…第２の中空円筒状流体処理フィルタ
２１０…      オゾン減損構成
３００…第３の中空円筒状流体処理フィルタ
３１０…有機蒸気減損構成
４００…第４の中空円筒状流体処理フィルタ
４１０…      微粒子除去構成
５００…フィルタユニット
６０１…第１の流体流路
６０２…第２の流体流路
１０００…燃料タンク不活性化プレフィルタアセンブリ
１００１      …第１のエンドキャップ
１００２…第２のエンドキャップ
１０１０…中心開口
１０１１      …第１の面
１０１２      …第２の面
【図１】
2017113745.tif 000003
【図２】
2017113745.tif 000004
【図３Ａ】
2017113745.tif 000005
【図３Ｂ】
2017113745.tif 000006
【図３Ｃ】
2017113745.tif 000007
【図３Ｄ】
2017113745.tif 000008
【図４Ａ】
2017113745.tif 000009
【図４Ｂ】
2017113745.tif 000010
【図５Ａ】
2017113745.tif 000011
【図５Ｂ】
2017113745.tif 000012
【図６Ａ】
2017113745.tif 000013
【図６Ｂ】
2017113745.tif 000014
【図７】
2017113745.tif 000015
【外国語明細書】
2017113745000001.pdf